(57)【要約】【課題】  クレセント錠の防犯性を高める。【解決手段】  引戸の縦框の室内側に装着された台座３と、この台座３において回動可能に支承され、螺旋状の係合端縁を形成した環堤部付の錠止盤５と、この錠止盤に同軸に結合され、スライダクランク機構のクランクとなるクランク盤１４ａと、一端をこのクランク盤に、他端を引戸の縦框に沿って移動可能に案内された連動杆２７に夫々リンク結合された駆動アーム１８とを有し、上記連動杆２７を介して、縦框の台座とは離間した位置に装着されたハンドルに連結され、このハンドルの回動に連動して、スライダクランク機構を介して錠止盤を回動させる。【選択図】  図４
2006037564.tif 000002
【特許請求の範囲】
【請求項１】
引戸の縦框の室内側に装着された台座と、この台座において回動可能に支承され、螺旋状の係合端縁を形成した環堤部付の錠止盤と、この錠止盤に同軸に結合され、スライダクランク機構のクランクとなるクランク盤と、一端をこのクランク盤に、他端を引戸の縦框に沿って移動可能に案内された連動杆に夫々リンク結合された駆動アームとを有し、上記連動杆を介して、縦框の台座とは離間した位置に装着されたハンドルに連結され、このハンドルの回動に連動して、スライダクランク機構を介して錠止盤を回動させるようにしたことを特徴とするクレセント錠。
【発明の詳細な説明】
【技術分野】
【０００１】
この発明は、クレセント錠に係り、特に、防犯性を高めた新規なクレセント錠に関する。
【背景技術】
【０００２】
クレセント錠は、例えば後記特許文献１及び２に記載するように、螺旋状の係合端縁を形成した環堤部付の錠止盤を一の引戸の縦框に回動自在に設け、一方、この一の引戸と引き違いとなる他の引戸の縦框に上記係合端縁と係脱可能に係合する係止爪を設け、引戸閉鎖後、錠止盤を回して係合端縁を係止爪に係合させる。
【０００３】
このクレセント錠の構成は従来周知であるが、通常、錠止盤を回すハンドルは錠止盤に同軸かつ一体に結合されている。
【特許文献１】特開平１０−０８８８８２号公報
【特許文献２】特開２００１−０４９９２１公報
【発明の開示】
【発明が解決しようとする課題】
【０００４】
上記クレセント錠は、構造が簡単であるので多用されているが、一面、錠止盤とこれを回すハンドルが一体に結合されているので、引戸のガラスを毀してクレセント錠を露出させると、そのガラスの穴から手を室内に差し入れることにより容易にハンドルを操作でき、したがって防犯性が高いとは言えない、等未だ改良の余地がある。
【０００５】
そこで、この発明は、クレセント錠の構造を少し変更し、防犯性を高めたクレセント錠を提供することを目的としている。
【課題を解決するための手段】
【０００６】
上記の目的を達成するため、請求項１に記載の発明は、引戸の縦框の室内側に装着された台座と、この台座において回動可能に支承され、螺旋状の係合端縁を形成した環堤部付の錠止盤と、この錠止盤に同軸に結合され、スライダクランク機構のクランクとなるクランク盤と、一端をこのクランク盤に、他端を引戸の縦框に沿って移動可能に案内された連動杆に夫々リンク結合された駆動アームとを有し、上記連動杆を介して、縦框の台座とは離間した位置に装着されたハンドルに連結され、このハンドルの回動に連動して、スライダクランク機構を介して錠止盤を回動させるようにしたことを特徴とする。
【発明の効果】
【０００７】
上記のように構成された請求項１に記載の発明によるクレセント錠は、例え引戸のガラスを毀されても、錠止盤を回動操作するハンドルが離間した位置にあるので、不正解錠を有効に防止できる。
【０００８】
この場合、ハンドルの近傍におけるガラスを毀されればこの発明によるクレセント錠を容易に不正解錠できるが、この発明によるクレセント錠とハンドルとは離間しており、通常、ハンドルをガラス部から離して設置できるので、事実上引戸のガラスを破壊することによるクレセント錠の不正解錠を不可能にする。
【０００９】
また、ハンドルにも他のクレセント錠の錠止盤を連結でき、このようにしてクレセント錠を２重に設置できるので、引戸の錠止を更に安全にできる。
【００１０】
更にまた、上記したダブルクレセント錠は一のハンドルを操作することにより二つのクレセント錠を同時に施解錠できるので、使い勝手を変えずにクレセント錠の安全性を向上させることができる、等種々の効果を奏する。
【発明を実施するための最良の形態】
【００１１】
クレセント錠の本体部と、これを操作するハンドルとを離間して設け、これらを連結する連動杆の動きを、スライダクランク機構を介して錠止盤に伝達するようにしたので、簡単な機構で操作力の伝達効率を向上させ、ハンドル操作を円滑にすることができた。
【実施例１】
【００１２】
以下、この発明の実施例を図面を参照して説明する。
図１において符号１は引戸の一方の縦框を示し、この縦框１は他方の縦框２と引き違いとなるもので、図１は引戸の閉鎖状態を示すが、引戸が開くときには他方の縦框２が一方の縦框１に対して、相対的に右方に移動する。
【００１３】
上記縦框１の室内側には、図１乃至図５に示す台座３が例えばねじ止めにより装着されている。
【００１４】
上記台座３には、螺旋状の係合端縁を形成した環堤部４付の錠止盤５が回動可能に支承されており、この錠止盤５は、図１に示すように、引戸施錠時他方の縦框２に装着された係止爪６と係合して、引戸をロックすることは通常のクレセント錠と同様である。
【００１５】
図示の実施例では、図６に示すように、錠止盤５には４個の皿付のかしめ穴７、７が開口しており、これに対応して、図７及び図８に示すように、回転軸９の裏面側に４本のかしめピン８、８が一体に植設されている。
【００１６】
この回転軸９は、突起部や手掛かり部が無い円滑な外面（図７で左側の面）を上にして、かつ、かしめピン８、８を対応するかしめ穴７に挿通させた状態で錠止盤５に重合され、裏面側からかしめピン８、８をかしめることにより錠止盤５に一体的に結合される。
【００１７】
このとき、回転軸９の係合脚１１、１１が、錠止盤５に開口した対応する係合孔１２、１２を挿通して錠止盤５の裏面側に突き抜ける。
【００１８】
そして、図４に示すように、一体的に結合された錠止盤５及び回転軸９は、台座３上に載置され、錠止盤５の裏面側に突き抜けた係合脚１１を、台座表面に形成された環状或いは円弧状の案内溝１３に摺動可能に係合させることにより、台座３の外面において回動可能に案内される。
【００１９】
上記錠止盤５及び回転軸９の抜け止めのため、図４、図９及び図１０に示すように、台座３の裏面側（右側）からこれを貫通するように、外形が略方形のクランク盤１４ａを一体に結合したカム軸１４が錠止盤５の裏面に係合している。
【００２０】
なお、カム軸１４の左端には図示しない係合突起が設けられていて、この突起を錠止盤５に開口した係合孔１２及び付番しない開口に挿入するようにしてカム軸１４と錠止盤５との間に回り止めが施されているが、この回り止め機構は本発明の要旨ではないので、更に詳細な説明は省略する。
【００２１】
そして、上記カム軸１４は、図４に示すように、これを水平に貫通する固定ねじ１５の先端を、錠止盤５の回転中心に形成された雌ねじ孔１６（図６参照）に螺合させることにより、錠止盤５に一体的に結合されている。
【００２２】
一方、図４及び図５に示すように、凹陥部を形成した錠止盤５の裏面側にはこれを覆うように裏板１７が装着されている。
【００２３】
そして、この裏板１７とクランク盤１４ａとの間に形成された薄い空間に、一対の駆動アーム１８、１８が挿設されている。
【００２４】
各駆動アーム１８は、図５に示すように、干渉を避けるため中央部の相互に対向する側端縁部をＶ字形に切り欠いたレバー体で、図５において上方の駆動アームの下端、及び、下方のそれには、夫々水平な長孔１９が開口している。
【００２５】
この駆動アーム１８は、機構学上周知のスライダクランク機構において、スライダとクランクとを連結するてことなる。
【００２６】
そして、各長孔１９には、前記クランク盤１４ａに植設された一対の係合突起２１、２１（図９及び図１０参照）の夫々が摺動かつ回動可能に係合している。
【００２７】
上記係合突起２１の一方と、カム軸１４の中心との間の部分は、スライダクランク機構のクランクとなる。
【００２８】
他方、図５に示すように、上方の駆動アーム１８の上端、及び下方の駆動アーム１８の下端には、例えばかしめにより、連結ピン２５が植設されている。
【００２９】
各連結ピン２５は、裏板１７に開口した縦長の第１及び第２案内孔２３、２６（図５参照）に摺動可能に係合している。
【００３０】
これらの連結ピン２５、２５の内一方（図示の実施例では下方）の連結ピン２５は、一方の縦框１において上下方向に移動可能に案内された連動杆２７（図１及び図４参照）及び下方の台座に設けられた他の連結ピン２５（図４参照）を介して、台座の下方に装着された他の台座のハンドルに連結されている。
【００３１】
なお、図示の実施例における上記他の台座は、他のクレセント錠の操作ハンドルの台座であるものとする。
【００３２】
そして、上法のクレセント錠において、下方の連結ピン２５は連動杆２７に開口した図示しない支持孔に嵌装されており、上方の連結ピンは連結杆に開口した縦長の遊動孔に縦方向に遊嵌可能に係合しているものとする。
【００３３】
また、下方のクレセント錠と連動杆２７との連動機構は、ハンドルに連結されたピニオンによりラック板を駆動するもの、或いは、公知のドレーキップ窓におけるハンドルと連動杆の駆動機構、等種々の機構を採り得る。
【００３４】
そして、下方のハンドルにより図５に示す施錠状態から下方の連結ピン２５を下降させれば、図５から明らかなように、下方の駆動アーム１８が、スライダクランク機構を介して、クランク盤１４ａ及びこれと一体の錠止盤５が時計方向に回動してクレセント錠が解錠される（図示せず）。
【００３５】
なお、このとき上方の駆動アーム１８の連結ピン２５は、下方のそれとは対称的に、第１案内孔２３中を上昇する。
【００３６】
また、このときクランク盤１４ａの係合突起２１が駆動アーム１８の長孔１９中を左右に摺動するので、錠止盤５の駆動機構は厳密に言えばスライダクランク機構を構成しないが、係合突起２１を長孔１９に係合させたのは駆動アーム１８が台座と干渉するのを避けるためで、真性のスライダクランク機構を採用しても本発明は成り立つから、ここでは図示の駆動機構もスライダクランク機構に含めることにする。
【００３７】
上記のように構成されたこの発明の一実施例によるクレセント錠は、それ自体の錠止盤を直接操作できないが、下方又は上方に設けたハンドル操作により施解錠できるので、発明の効果の項に記載した種々の優れた効果を奏することは前記した通りである。
【００３８】
なお、クランク盤１４ａ、駆動アーム１８及び連動杆２７よりなるスライダクランク機構が１個あればこの発明は成立するが、図示の実施例のように（図５参照）上下に一対設けてあるのは、引戸の左右勝手に応じて台座３を上下逆に装着しなければならない場合があるからである。
【図面の簡単な説明】
【００３９】
【図１】この発明の一実施例によるクレセント錠の平面図。
【図２】その室内側における正面図。
【図３】その室内側における側面図。
【図４】その縦断面図。
【図５】その裏面図。
【図６】錠止盤の正面図。
【図７】回転軸の断面図。
【図８】回転軸の裏面図。
【図９】クランク盤の正面図。
【図１０】クランク盤及びこれと一体のカム軸の断面図。
【符号の説明】
【００４０】
１  一方の縦框
２  他方の縦框
３  台座
４  環堤部
５  錠止盤
６  係止爪
７  かしめ穴
８  かしめピン
９  回転軸
１１  係合部
１２  係合孔
１３  案内溝
１４  カム軸
１４ａ  クランク盤
１５  固定ねじ
１７  裏板
１８  駆動アーム
１９  長孔
２１  係合突起
２５  連結ピン
２７  連動杆
【図１】
2006037564.tif 000003
【図２】
2006037564.tif 000004
【図３】
2006037564.tif 000005
【図４】
2006037564.tif 000006
【図５】
2006037564.tif 000007
【図６】
2006037564.tif 000008
【図７】
2006037564.tif 000009
【図８】
2006037564.tif 000010
【図９】
2006037564.tif 000011
【図１０】
2006037564.tif 000012